(57)【要約】【課題】よりコストが安く、且つ低騒音化を図ることが可能な駆動機構を提供すること。【解決手段】プリンタ１０１における駆動系の所定部分を、少なくとも１つの開口面４６を有する筐体２と、開口面４６を塞ぐように配置した側壁部材５とで囲う囲み部と、被駆動部材を駆動させるモーター７１、７２、７３と、モーター７１、７２、７３の動力を被駆動部材に伝達するための伝達機構とを備え、伝達機構は、ギア６、６´を有し、少なくともモーター７１、７２、７３とギア６、６´が、囲み部内に設けられている、駆動機構である。【選択図】図５
2010068487.tif 000002
【特許請求の範囲】
【請求項１】
画像形成装置における駆動系の所定部分を、少なくとも１つの開口面を有する筐体と、前記開口面を塞ぐように配置した本体フレームとで囲う囲み部と、
被駆動部材を駆動させるモーターと、
前記モーターの動力を前記被駆動部材に伝達するための伝達機構とを備え、
前記伝達機構は、歯車を有し、
少なくとも前記モーターと前記歯車が、前記囲み部内に設けられている、駆動機構。
【請求項２】
前記伝達機構は、
前記伝達を接続、遮断、又は切り替えるためのクラッチを備え、
前記クラッチは、前記囲み部内に設けられている、請求項１記載の駆動機構。
【請求項３】
前記伝達機構は、
前記歯車の回転を停止させるためのソレノイドを有し、
前記ソレノイドは、前記囲み部内に設けられている、請求項１記載の駆動機構。
【請求項４】
前記本体フレームは、前記記録媒体が搬送される搬送路の側壁を形成し、
前記筐体は、前記本体フレームの、前記搬送路と反対側に設けられている、請求項１記載の駆動機構。
【請求項５】
前記筐体は、
少なくとも１つの開口面を有する第１ホルダと、
前記第１ホルダの開口面を塞ぐように配置された、少なくとも１つの開口面を有する第２ホルダとを有し、
前記第２ホルダの前記開口面は、前記筐体の開口面であり、
少なくとも前記モーターは、前記第１ホルダ内に配置されている、請求項４記載の駆動機構。
【請求項６】
前記筐体が、制振材料によって形成されている、請求項１記載の駆動機構。
【請求項７】
現像剤画像が形成される記録媒体を収納する給紙カセットと、
像担持体上に前記現像剤画像を形成する画像形成ユニットと、
前記現像剤画像を前記記録媒体に転写する転写ユニットと、
前記転写された前記現像剤画像を前記記録媒体に定着するための定着ユニットと、
前記給紙カセットから供給された前記記録媒体を前記転写ユニットへと搬送するための搬送機構と、
前記給紙カセット、前記画像形成ユニット、前記転写ユニット、前記定着ユニット、及び前記搬送機構を動作させるための複数のモーターと、
請求項１〜１０のいずれかに記載の駆動機構とを備え、
少なくとも１個の前記モーターが、前記囲み部内に配置されている、画像形成装置。
【発明の詳細な説明】
【技術分野】
【０００１】
本発明は、駆動機構及び画像形成装置に関する。
【背景技術】
【０００２】
複写機、プリンタ、及びファクシミリ等の画像形成装置では、給紙カセットに収納されている紙が、転写ユニットに搬送されて、トナー画像が転写される。次に、紙が定着ユニットに搬送されて転写されたトナー画像の定着が行われる。そして、最後にトナー画像の形成された紙は、装置外へと排出される。
【０００３】
このような紙の搬送は、搬送路に複数設けられている搬送ローラによって行われ、これらの搬送ローラは、搬送路の側方に設けられたモーターからの動力がギア等の伝達機構によって搬送ローラの軸に伝達されることによって回転される。
【０００４】
一方、近年オフィスなどの環境において画像形成装置の低騒音化が要請されており、搬送ローラを駆動するためのモーター並びにギアの回転音、及びモーター並びにギアの振動が筐体に伝わり発生する振動音等の騒音が問題となっている。
【０００５】
この騒音を低減するために、伝達機構を筐体で覆った構成が、提案されている（例えば、特許文献１参照。）。
【０００６】
この特許文献１の駆動装置では、駆動伝達機構がケーシング内に設けられ、ケーシング内には、吸音部材が貼られている。更に、駆動モーターが振動伝達吸収部材を介してケーシングの表面に配置されており、このような構成によって、騒音の低減化が図られている。
【特許文献１】特開平９―２３０６５８号公報
【発明の開示】
【発明が解決しようとする課題】
【０００７】
しかしながら、上記特許文献１の駆動装置では、伝達機構のみがケーシング内に配置されているため低騒音化が十分に図られていなかった。
【０００８】
また、振動伝達吸収部材、及び吸音部材を設ける必要があるため、部品点数が増加し、製造作業に時間がかるため、コストが高くなっていた。
【０００９】
本発明は、上記従来の駆動機構の課題を考慮して、よりコストが安く、且つ低騒音化を図ることが可能な駆動機構、及び画像形成装置を提供することを目的とする。
【課題を解決するための手段】
【００１０】
上記目的を達成するために、第１の本発明は、
画像形成装置における駆動系の所定部分を、少なくとも１つの開口面を有する筐体と、前記開口面を塞ぐように配置した本体フレームとで囲う囲み部と、
被駆動部材を駆動させるモーターと、
前記モーターの動力を前記被駆動部材に伝達するための伝達機構とを備え、
前記伝達機構は、歯車を有し、
少なくとも前記モーターと前記歯車が、前記囲み部内に設けられている、駆動機構である。
【００１１】
又、第２の本発明は、
前記伝達機構は、
前記伝達を接続、遮断、又は切り替えるためのクラッチを備え、
前記クラッチは、前記囲み部内に設けられている、第１の本発明の駆動機構である。
【００１２】
又、第３の本発明は、
前記伝達機構は、
前記歯車の回転を停止させるためのソレノイドを有し、
前記ソレノイドは、前記筐体内に設けられている、第１の本発明の駆動機構である。
【００１３】
又、第４の本発明は、
前記本体フレームは、前記記録媒体が搬送される搬送路の側壁を形成し、
前記筐体は、前記本体フレームの、前記搬送路と反対側に設けられている、第１の本発明の駆動機構である。
【００１４】
又、第５の本発明は、
前記筐体は、
少なくとも１つの開口面を有する第１ホルダと、
前記第１ホルダの開口面を塞ぐように配置された、少なくとも１つの開口面を有する第２ホルダとを有し、
前記第２ホルダの前記開口面は、前記筐体の開口面であり、
少なくとも前記モーターは、前記第１ホルダ内に配置されている、第４の本発明の駆動機構である。
【００１５】
又、第６の本発明は、
前記筐体が、制振材料によって形成されている、第１の本発明の駆動機構である。
【００１６】
又、第７の本発明は、
現像剤画像が形成される記録媒体を収納する給紙カセットと、
像担持体上に前記現像剤画像を形成する画像形成ユニットと、
前記現像剤画像を前記記録媒体に転写する転写ユニットと、
前記転写された前記現像剤画像を前記記録媒体に定着するための定着ユニットと、
前記給紙カセットから供給された前記記録媒体を前記転写ユニットへと搬送するための搬送機構と、
前記給紙カセット、前記画像形成ユニット、前記転写ユニット、前記定着ユニット、及び前記搬送機構を動作させるための複数のモーターと、
第１〜１０のいずれかの本発明の駆動機構とを備え、
少なくとも１個の前記モーターが、前記囲み部内に配置されている、画像形成装置である。
【発明の効果】
【００１７】
本発明によれば、よりコストが安く、且つ低騒音化を図ることが可能な駆動機構、及び画像形成装置を提供することが出来る。
【発明を実施するための最良の形態】
【００１８】
以下に、本発明にかかる画像形成装置の一例としてのプリンタについて図面を用いて説明するとともに、本発明の駆動機構の一例についても説明する。
【００１９】
（実施の形態１）
はじめに、本発明にかかる実施の形態１のプリンタの全体構成について説明する。
【００２０】
図１は、本発明の実施の形態１におけるプリンタ１０１の外観図である。又、図２は、本発明の実施の形態１におけるプリンタ１０１の側面構成図である。図１に示すように、本実施の形態１のプリンタ１０１は、底部に、画像が形成される用紙を収納するための給紙カセット１０２を備えており、上面に、トナー画像が形成された用紙が排出される排出トレー１１６を備えている。
【００２１】
また、図２に示すように、本実施の形態１におけるプリンタ１０１は、タンデム方式を用いたカラープリンタであり、ブラック用の画像形成ユニット１０３、イエロー用の画像形成ユニット１０４、シアン用の画像形成ユニット１０５、およびマゼンダ用の画像形成ユニット１０６を備えている。これら画像形成ユニット１０３、１０４、１０５、１０６によって形成された各画像を、用紙に転写する前に重ね合わせる中間転写ベルト１０７が配置されている。
【００２２】
この中間転写ベルト１０７上に形成されたトナー画像を、給紙カセット１０２から給紙された用紙に転写するための二次転写ローラ１０８が設けられている。また、中間転写ベルト１０７内には、二次転写ローラ１０８に対向して配置されている対向ローラ１１７が設けられており、この対向ローラ１１７の回転により中間転写ベルト１０７が回転する。さらに、用紙に転写されたトナー画像を定着するための定着ユニット１０９が設けられており、定着ユニット１０９は、対向するヒートローラ１０９ａと、加圧ローラ１０９ｂを有している。
【００２３】
次に、画像形成ユニットについて説明するが、４つの画像形成ユニット１０３、１０４、１０５、１０６の基本的構成は同じであるため、ブラック用の画像形成ユニット１０３を例に挙げて説明する。
【００２４】
図１に示すように、ブラック用の画像形成ユニット１０６は、感光体ドラム１１０、帯電ユニット１１１、現像ユニット１１２、およびクリーニングユニット１１４等から構成されている。又、中間転写ベルト１０７を挟んで、感光体ドラム１１０と対向して一次転写ローラ１１３が設けられている。また、４つの画像形成ユニット１０３、１０４、１０５、１０６の、それぞれの帯電ユニット１１１によって帯電されたそれぞれの感光体ドラム１１０の表面を光走査することによって静電潜像を形成する、レーザースキャナーユニット（以下、ＬＳＵと呼ぶ）１１５が設けられている。このＬＳＵ１１５は、４つの画像形成ユニット１０３、１０４、１０５、１０６の下方に配置されている。
【００２５】
また、ＬＳＵ１１５の下方には、各装置構成の制御を行うための制御基板等が配置された制御部１１９が設けられている。
【００２６】
又、給紙カセット１０２から二次転写ローラ１０８、及び定着ユニット１０９を順に通過し、排出トレー１１６へと紙を搬送する搬送路１２０が、装置正面１５ａ側に上下方向に形成されている（図中、実線矢印参照）。
【００２７】
この搬送路の二次転写ローラ１０８の下流側には、給紙カセット１０２から搬送されてきた紙を一旦停止させ、二次転写のタイミングに合わせて、二次転写ローラ１０８と中間転写ベルト１０７の間へと紙を送り出す一対のレジストローラ１２１ａ、１２１ｂが設けられている。この一対のローラのうちレジストローラ１２１ａが回転駆動可能に構成されており、搬送されてきた紙を一旦停止させることによって紙の斜め送りが防止される。
【００２８】
又、搬送路１２０の装置正面１０１ａ側には、紙の両面にトナー画像を形成する際に、片面にトナー画像が形成された紙を再度、二次転写ローラ１０８へと搬送するための両面搬送路１２２が設けられている。この両面搬送路１２２は、レジストローラ１２１ａ、１２１ｂの上流側で搬送路１２０に合流している（図中、合流地点をＰとして示している。）。
【００２９】
図３は、本実施の形態１のプリンタ１０１の正面１０１ａ側のカバー１１８を開いた状態を示す部分斜視図である。又、図４は、図３の側面図である。図３及び図４に示すように、カバー１１８は、下方の支点１１８ａを中心に回動可能である（図４矢印参照）。また、カバー１１８よりも内側に配置された、二次転写ローラ１０８及びレジストローラ１２１ａが設けられたユニット１２５が、下方の回転軸１２５ａを中心に回動可能に構成されている。尚、ユニット１２５は、図２中、斜線で示した箇所に相当する。また、図３に示すように、ユニット１２５の二次転写ローラ１０８及びレジストローラ１２１ａが配置されている側に対向するように搬送ガイド２５０が設けられている。
【００３０】
また、正面１０１ａから見て、搬送ガイド２５０の左側には側壁部材２４０が設けられ、搬送ガイド２５０の右側には側壁部材５が設けられている。図５は、図３からカバー１１８、ユニット１２５、及び制御部１１９を除いた図である。
【００３１】
図３及び図５に示すように、側壁部材５には、ユニット１２５を閉じた際に、ユニット１２５に設けられている二次転写ローラ１０８の軸が挿入される軸受け５１と、レジストローラ１２１ａの軸が挿入される軸受け５２が設けられている。
【００３２】
また、ユニット１２５の回転軸１２５ａが挿入される軸受け５３が設けられており、軸受け５１、５２、５３は、上から順に配置されている。尚、側壁部材５及び軸受け５１、５２のプリンタ１０１内における位置を分かりやすくするため、中間転写ベルト１０７、対向ローラ１１７、及びレジストローラ１２１ｂが一点鎖線で示されている。
【００３３】
また、側壁部材２４０にも、これらの軸受け５１、５２、５３に対向する位置に軸受けが設けられており、側壁部材２４０に形成された軸受けのうち、図４、図５において、回転軸１２５ａの軸受け２４３が示されている。又、側壁部材２４０には、ファン２４１が設けられている。更に、搬送ガイド２５０の側壁部材５側には、本実施の形態１の駆動機構１が設けられている。
【００３４】
次に、本発明にかかる実施の形態１の駆動機構１について説明する。
【００３５】
本実施の形態１の駆動機構１は、図５に示すように、側壁部材５と、側壁部材５に取り付けられた筐体２と、筐体２の中に配置されたモーター、ギア、クラッチ、及びソレノイドなどの伝達部材を備えている。また、筐体２は、搬送ガイド２５０の反対側に設けられている第１ホルダ３と、第１ホルダ３と側壁部材５の間に挟まれて設けられている第２ホルダ４とから構成されている。この第１ホルダ３の搬送ガイド２５０と反対側の面を３ａとすると、正面１０１ａ側から見て、面３ａが、装置右側面（図２における紙面奥行き方向）を向き、ファン２４１が装置左側面（図２における紙面手前方向）に向くことになる。
【００３６】
図６（ａ）は、第１ホルダ３及び第１ホルダ３内に配置されている構成を示す図である。図６（ｂ）は、（ａ）からモーターを取り外した状態を示す図である。
【００３７】
図６（ａ）に示すように、第１ホルダ３は、側壁３１と、側壁３１の周囲に垂直に形成された縁部３２と有する箱形状であり、側壁３１と対向した開口面３６とを有している。第１ホルダ３には、内部に、複数のギア６、３つのモーター７１、７２、７３、ソレノイド８、及び電磁クラッチ９が設けられている。尚、第１ホルダ３は、内部にリブなどが設けられている。
【００３８】
又、図６（ａ）（ｂ）に示すように、第１ホルダ３の、モーター７１、７２、７３に対応する部分に、モーターを冷却するための空気穴３３、３４、３５が形成されている。尚、空気穴３４、３５は、側壁３１に設けられているが、空気穴３３は、後述する図７（ｂ）に示すように縁部３２に設けられている。又、モーター７１、７２、７３の軸が、７１ａ、７２ａ、７３ａとして示されている。
【００３９】
また、複数のギア６のうち図中右下方に配置されているギア６１の上方には、ギアの回転を停止するためのソレノイド８が設けられている。また、第１ホルダ３の中央近傍には、３つの電磁クラッチ９、１０、１１が設けられている。
【００４０】
図７（ａ）は、第１ホルダ３に第２ホルダ４を取り付けた状態を示す図である。また、図７（ｂ）は、第１ホルダ３に第２ホルダ４を取り付けた状態を（ａ）とは反対側（図５中矢印Ｅ方向）から見た図である。図７（ａ）、（ｂ）に示すように、第１ホルダ３と同様に、第２ホルダ４は、側壁４１と、側壁４１の周囲に垂直に形成された縁部４２を有する箱形状であり、側壁４１に対向した開口面４６を有している。そして、第２ホルダ４の側壁４１が、第１ホルダ３の開口面３６を塞ぐように、第１ホルダ３と第２ホルダ４は組み付けられている。
【００４１】
上述したように第１ホルダ３と第２ホルダ４によって構成され、内部にギア６、６´等が配置された筐体２が、その開口面４６が塞がれるように、側壁部材５に取り付けられ、図５に示す駆動機構１が構成される。尚、側壁部材２４０、搬送ガイド２５０、及び側壁部材５は、一体成形されたものである。また、側壁部材５は、第２ホルダ４の開口面４６を塞ぐように、その表面が階段状に形成されている。
【００４２】
上述したモーター７１、７２、７３のうちモーター７１の回転駆動による動力は、ギア６、６´等を介して図２に示した定着ユニット１０９のヒートローラ１０９ａに伝達される。また、モーター７２による動力は、二次転写ローラ１０８、及び中間転写ベルト１０７を駆動する対向ローラ１１７に伝達され、ブラック用画像形成ユニット１０３の現像ユニット１１２にも伝達される。また、モーター７３の動力は、レジストローラ１２１ａに伝達される。
【００４３】
又、筐体２を第１ホルダ３と第２ホルダ４の２つに分けることにより、第１ホルダ３に配置されたモーター７１、７２、７３からの出力は、一旦第２ホルダ４に配設したギア６´等を含む伝達部材に連結され、再び、第１ホルダ３のギア６等を含む伝達部材に戻るように構成される。このように立体的に伝達部材を配置することにより、駆動機構の省スペース化を図ることが可能となる。
【００４４】
又、駆動機構１の筐体２を構成する第１ホルダ３及び第２ホルダ４は制振材料によって形成されている。この制振材料としては、変性ＰＰＥ（ポリフェニレンエーテル）にフィラーを加えたものを用いることが出来る。尚、側壁部材５は、ポリカＡＢＳを材料として形成されている。
【００４５】
以上のように、本実施の形態の駆動機構１は、側壁部材５及び筐体２によって構成された囲み部１２（図５参照）によって、ギア６、６´、モーター７１、７２、７３、ソレノイド８、及び電磁クラッチ９、１０、１１が囲まれている。
【００４６】
尚、本発明の本体フレームの一例は、本実施の形態の側壁部材５に相当し、本発明の歯車の一例は、本実施の形態のギア６、６´に相当する。
【００４７】
又、本発明の像担持体の一例は、本実施の形態の感光体ドラム１１０に相当する。又、本発明の転写ユニットの一例は、二次転写ローラ１０８、中間転写ベルト１０７、及びその内側に配置された４つの一次転写ローラ１１３並びに対向ローラ１１７に相当し、本発明の搬送機構の一例は、本実施の形態では、レジストローラ１２１ａに相当する。また、本発明の定着ユニット用のモーターの一例は、本実施の形態１のモーター７１に相当し、本発明の搬送機構用のモーターの一例は、モーター７３に相当する。本発明の画像形成ユニット用のモーター及び転写ユニット用のモーターの一例は、本実施の形態１では、対向ローラ１１７及びブラック用画像形成ユニット１０３の現像ユニット１１２に伝達される動力を発生するモーター７２に相当する。
【００４８】
図８（ａ）は、図６（ａ）のソレノイド８近傍の拡大図である。又、図８（ｂ）は、ソレノイド８近傍の正面模式図である。ソレノイド８は、フラッパー型のソレノイドであり、第１ホルダ３の側壁３１にビス３００によって固定されている。ソレノイド８は、コイル部８１とその中央に設けられた鉄芯８２を有している。また、コイル部８１は枠８３によって覆われており、その下方には、ギア６１の回転を停止するために、ギア６１の歯６１ａに噛み合うように形成された停止部材８４が設けられている。この停止部材８４は、水平部８４ａと、水平部８４ａの先端から下方に向かって垂直に設けられ、歯６１ａと嵌合する嵌合部８４ｂとを有しており、枠８３に形成されている支点Ｏ（図８（ｂ）参照）を中心にして回動可能に構成されている。また、水平部８４ａの両端のうち、嵌合部８４ｂと反対側の端側には、バネ部材８５の一端が固定されている。このバネ部材８５の他端は、枠８３の側面に形成された凸部８３ａに固定されている。
【００４９】
以上のような構成のソレノイド８では、コイル部８１に通電すると、磁力によって、停止部材８４が支点Ｏを中心に回動し、水平部８４ａの嵌合部８４ｂ側が持ち上げられ、枠８３の下側部分８３ｂに当接する。このように嵌合部８４ｂがギア６１の上方に持ち上げられるため、ギア６１が自由に回転することが出来る。一方、コイル部８１への通電を停止すると、磁力が生じなくなりバネ部材８５の弾性力によって、支点Ｏを中心にして停止部材８４が回転し、嵌合部８４ｂが下がって歯６１ａとかみ合い、ギア６１が回転出来なくなる（図８（ｂ）中、一点鎖線、及び矢印Ｒ参照）。
【００５０】
このソレノイド８の動作時に、停止部材８４とコイル部８１の枠８３の下側部分８３ｂ（図８（ａ）、（ｂ）参照）との衝突音や、停止部材８４とギア６１との衝突音が発生することになるが、第１ホルダ３と第２ホルダ４によって覆われているため、遮音による低騒音化を図ることが出来る。
【００５１】
更に、ソレノイド８が、ビス３００によって制振材料で形成されている第１ホルダ３に直接取り付けられているため、動作時に発生する振動を短時間で減衰させることが可能となる。
【００５２】
次に、図６及び図７（ａ）に示された電磁クラッチ９、１０、１１について説明するが、電磁クラッチ９、１０、１１は同様の構成であるため、電磁クラッチ９について主に説明する。
【００５３】
又、図９（ａ）は、電磁クラッチ９近傍の拡大図である。尚、図９（ａ）は、図７（ｂ）のＳ部分の図である。又、図９（ｂ）は、図９（ａ）から第１ホルダ３の側壁３１を取り除いた状態を示す図である。図９（ｂ）に示すように、電磁クラッチ９は、出力軸９１と、電磁石を介して出力軸９１に回転可能に挿入された入力ギアを有している。また、出力軸９１の側壁３１側には、支持部材９２が設けられており、この支持部材９２は、図示しないコイル部を支持しており、出力軸９１は、コイル部及び支持部材９２に対して回転自在に構成されている。この支持部材９２には、出力軸９１の回転に伴って支持部材９２が回転することを防止するための回り止め部材９３が設けられている。この回り止め部材９３は、樹脂で形成されており、側壁３１に形成された貫通孔３１ａに嵌合している。また、支持部材９２には、コイル部を通電制御するためのハーネスを接続するコネクタ９４が設けられている。尚、コネクタ９４と対応する側壁３１の部分には、コネクタ用貫通孔３１ｂが形成されている。
【００５４】
このような電磁クラッチ９に通電された場合、他のギアから入力ギアに駆動力が伝達されて入力ギアが回転すると、電磁力により出力軸９１も回転し、出力軸９１を介して他のギアへと動力が伝達される。一方、電磁クラッチ９に通電されていない場合、入力軸が回転しても出力軸９１が回転しないため、動力は伝達されない。このように電磁クラッチ９をオン・オフすることによって動力の伝達を接続、又は遮断することが出来る。
【００５５】
ここで、電磁クラッチ９を通電した時には、出力軸９１の回転力が伝わり、支持部材９２も回転しようとするが、回り止め部材９３が貫通孔３１ａの縁に接触することによって支持部材９２の回転は防止される。ここで、誤差や組立作業の行い易さを考慮し、回り止め部材９３の方が貫通孔３１ａより大きく形成されているため、回り止め部材９３と貫通孔３１ａの間には隙間が存在している。このため、回り止め部材９３が貫通孔３１ａの縁に接触するときに、接触音が発生することになる。しかしながら、本実施の形態では、電磁クラッチ９が第１ホルダ３と第２ホルダ４によって覆われているため、遮音による低騒音化を図ることが出来る。
【００５６】
更に、回り止め部材９３が樹脂で形成されており、貫通孔３１ａが設けられている第１ホルダ３も制振材料によって形成されているため、接触音をより低減させることが可能となる。尚、電磁クラッチ１０、１１においても同様の効果が発揮される。又、図７（ｂ）中、電磁クラッチ１０の軸１０ａ及び回り止め部材１０ｂと、電磁クラッチ１１の軸１１ａ及び回り止め部材１１ｂを示す。
【００５７】
以上のように、本実施の形態では、ギア６、６´、モーター７１、７２、７３、ソレノイド８、及び電磁クラッチ９、１０、１１が全て第１ホルダ３、第２ホルダ４、及び側壁部材５によって構成された囲み部１２によって囲まれているため、遮音による低騒音化を図ることが出来る。
【００５８】
また、第１ホルダ３及び第２ホルダ４を制振材料によって形成することで、駆動部品から発生する振動の低減化を図ることが出来るため、ギア、及びモーターによる定常音の静音化を図ることが出来、ソレノイド及び電磁クラッチによる非定常音の静音化を図ることが可能となる。また、制振材料を用いることによって、高周波数の振動を減衰させることが出来るため、耳障り音の低減化を図ることが可能となる。
【００５９】
尚、上記実施の形態では、ギア６、６´、モーター７１、７２、７３、ソレノイド８、及び電磁クラッチ９、１０、１１の全てが、囲み部１２によって覆われていたが、モーター及びギアのみが覆われていてもよい。また、上記実施の形態では、第１ホルダ３及び第２ホルダ４が制振材料によって形成されているが、制振材料でなくポリカＡＢＳなどの通常の樹脂材料によって形成されていてもよい。少なくともギア６、６´、モーター７１、７２、７３が囲み部１２によって覆われることによって、例えば特許文献１に示す従来の構成と比較して、静音化を達成することが出来る。又、モーター７１、７２、７３のうち、１つのみが囲み部１２によって囲まれていてもよい。
【００６０】
また、本発明の駆動機構の位置は、上記実施の形態で説明した位置に限らない。設けられる位置が変更される場合、駆動機構の構成及び形状は、適宜変更可能であり、上記実施の形態で説明したソレノイド８、電磁クラッチ９の用いられ方も適宜変更可能である。例えば、モーターからの伝達機構中に複数の電磁クラッチ及びギアを組み合わせることによって伝達を切り替え、正逆回転可能な搬送ローラを実現できる。
【００６１】
また、本実施の形態の伝達機構の一例は、本実施の形態のギア６、６´、モーター７１、７２、７３、ソレノイド８、及び電磁クラッチ９、１０、１１に相当するが、例えば、ソレノイド８、電磁クラッチ９、１０、１１が設けられていない構成であってもよく、動力伝達のためのベルトが設けられていても良い。
【００６２】
また、本実施の形態の筐体２は、第２ホルダ４と第１ホルダ３から構成されているが、２つの部材から構成されず、１つの部材から構成されていてもよい。
【００６３】
尚、本実施の形態では、側壁部材５は、搬送ガイド２５０及び側壁部材２４０と一体成形されていたが、別々に成形されていても良い。また、側壁部材５は、第２ホルダ４の開口面４６を塞ぐように配置するため、階段状の複雑な形状をしているが、複数の部分に分割されていてもよい。
【００６４】
又、本実施の形態では、第１ホルダ３及び第２ホルダ４が制振材料で形成されており、側壁部材５は制振材料で形成されていないが、側壁部材５も制振材料で形成されていてもよい。また、第１ホルダ３及び第２ホルダ４の全部が制振部材でなく、少なくとも一部が制振材料で形成されていてもよいが、その場合、ソレノイド８が固定されている部分、又は貫通孔３１ａの周囲が制振材料で形成されている方が低騒音化の点からより好ましい。尚、上述した駆動機構１において、第１ホルダ３及び第２ホルダ４をポリカＡＢＳ樹脂で形成した場合と、本実施の形態のように、変性ＰＰＥ（ポリフェニレンエーテル）にフィラーを加えたもので形成した場合を比較すると、変性ＰＰＥにフィラーを加えたものの方が騒音を低減出来た。
【００６５】
又、本実施の形態の画像形成装置の一例として、カラーのプリンタ１０１を挙げて説明したが、カラーでなくモノクロ用であってもよく、更にプリンタに限らず、複写機や、ファクシミリであってもよい。
【産業上の利用可能性】
【００６６】
本発明の駆動機構は、よりコストが安く、且つ低騒音化を図ることが可能な効果を有し、プリンタ、複写機、及びファクシミリ等として有用である。
【図面の簡単な説明】
【００６７】
【図１】本発明にかかる実施の形態１におけるプリンタ１０１の外観図
【図２】本発明にかかる実施の形態１におけるプリンタ１０１の側面構成図
【図３】本発明にかかる実施の形態１におけるプリンタ１０１のカバー１１８を開いた状態の部分斜視図
【図４】本発明にかかる実施の形態１におけるプリンタ１０１のカバー１１８を開いた状態の部分側面図
【図５】本発明にかかる実施の形態１における搬送機構１、搬送ガイド２５０、及び側壁を示す図
【図６（ａ）】本発明にかかる実施の形態１における第１ホルダ３と第１ホルダ３の内側に配置されている伝達機構の構成を示す図
【図６（ｂ）】図６（ａ）からモーターを取り外した状態を示す図
【図７（ａ）】本発明にかかる実施の形態１における第２ホルダ４と第２ホルダ４の内側に配置されている伝達機構の構成を示す図
【図７（ｂ）】図７（ａ）の反対側から見た図
【図８（ａ）】本発明にかかる実施の形態１におけるソレノイド８近傍の構成を示す図
【図８（ｂ）】本発明にかかる実施の形態１におけるソレノイド８近傍の構成を示す正面模式図
【図９】（ａ）本発明にかかる実施の形態１における電磁クラッチ９近傍の外観図、（ｂ）図９（ａ）から側壁３１を取り除いた状態を示す図
【符号の説明】
【００６８】
１  駆動機構
２  筐体
３  第１ホルダ
４  第２ホルダ
５  側壁部材
６、６´  ギア
８  ソレノイド
９、１０、１１  電磁クラッチ
１２  囲み部
３１、４１  側壁
３２、４２  縁部
７１、７２、７３  モーター
８１  コイル部
８２  鉄芯
８３  枠
８４  停止部材
８５  バネ部材
９１  出力軸
９２  支持部材
９３  回り止め部材
９４  コネクタ
【図１】
2010068487.tif 000003
【図２】
2010068487.tif 000004
【図３】
2010068487.tif 000005
【図４】
2010068487.tif 000006
【図５】
2010068487.tif 000007
【図６（ａ）】
2010068487.tif 000008
【図６（ｂ）】
2010068487.tif 000009
【図７（ａ）】
2010068487.tif 000010
【図７（ｂ）】
2010068487.tif 000011
【図８（ａ）】
2010068487.tif 000012
【図８（ｂ）】
2010068487.tif 000013
【図９】
2010068487.tif 000014